(57)【要約】【課題】入稿データに基づく印刷物の出力結果をシミュレーションし、その結果を用いて該入稿データを検版する検版装置を提供する。【解決手段】入稿データＤＤに基づく出力結果のシミュレーションに加え、出力時に印刷ズレが生じた場合の出力結果のシミュレーションをも行い、両結果について検版処理する。理想出力状態と実際の出力状態との相違点をシミュレーションすることができる。相違点の許容限度を判定パラメータＰ３として定める。該相違点が出力に際し問題となる可能性のある場合を、自動で検出する。スキルのない作業者でも、出力の際に生じる可能性のある問題点を、入稿時点で発見することができ、シミュレーション結果を確認しながら、入稿データのトラッピング設定を修正できるので、最小限のスキルで高品質の印刷物を得ることができる。【選択図】        図２
2004295199.tif 000002
【特許請求の範囲】
【請求項１】
印刷物のレイアウトデータを取得する取得手段と、
所定の出力装置において前記レイアウトデータに基づく出力がなされた場合の印刷物の出力状態を想定した仮想出力画像データ、を生成する仮想出力画像データ生成手段と、
前記レイアウトデータおよび前記仮想出力画像データに基づいて前記出力装置において出力がなされた場合の印刷物の仮想画像を生成する仮想画像処理手段と、
前記レイアウトデータに基づく印刷物の仮想画像を表す基準データと、前記仮想出力画像データに基づく印刷物の仮想画像を表す対象データとを相互に比較する比較手段と、
を備えることを特徴とする検版装置。
【請求項２】
請求項１に記載の検版装置であって、
前記基準データと、前記対象データとの比較の結果が所定の許容限度を超えている場合に警告情報を生成する警告情報生成手段、
をさらに備えることを特徴とする検版装置。
【請求項３】
請求項１または請求項２に記載の検版装置であって、
前記比較手段における比較結果に基づいて前記レイアウトデータを修正する画像データ修正手段、
をさらに備えることを特徴とする検版装置。
【請求項４】
請求項１ないし請求項３のいずれかに記載の検版装置であって、
前記仮想出力画像データ生成手段は、前記レイアウトデータに基づく出力がなされた場合の印刷物の印刷ズレ状態を想定した印刷ズレ画像データを生成する印刷ズレ画像データ生成手段であり、
前記仮想出力画像データは前記印刷ズレ画像データである、
ことを特徴とする検版装置。
【請求項５】
印刷システムであって、
（ａ）印刷物のレイアウトデータを生成する生成装置と、
（ｂ）印刷物の出力を行う出力装置と、
（ｃ）検版装置であって、
（ｃ−１）前記レイアウトデータを取得する取得手段と、
（ｃ−２）前記出力装置において前記レイアウトデータに基づく出力がなされた場合の印刷物の出力状態を想定した仮想出力画像データ、を生成する仮想出力画像データ生成手段と、
（ｃ−３）前記レイアウトデータおよび前記仮想出力画像データに基づいて前記出力装置において出力がなされた場合の印刷物の仮想画像を生成する仮想画像処理手段と、
（ｃ−４）前記レイアウトデータに基づく印刷物の仮想画像を表す基準データと、前記仮想出力画像データに基づく印刷物の仮想画像を表す対象データとを相互に比較する比較手段と、
を備える検版装置と、
を備えることを特徴とする印刷システム。
【請求項６】
請求項５に記載の印刷システムであって、
前記検版装置が、
（ｃ−５）前記基準データと、前記対象データとの比較の結果が所定の許容限度を超えている場合に警告情報を生成する警告情報生成手段、
をさらに備えることを特徴とする印刷システム。
【請求項７】
請求項５または請求項６に記載の印刷システムであって、
前記検版装置が、
（ｃ−６）前記比較手段における比較結果に基づいて前記レイアウトデータを修正する画像データ修正手段、
をさらに備えることを特徴とする印刷システム。
【請求項８】
請求項５ないし請求項７のいずれかに記載の印刷システムであって、
前記仮想出力画像データ生成手段は、前記レイアウトデータに基づく出力がなされた場合の印刷物の印刷ズレ状態を想定した印刷ズレ画像データを生成する印刷ズレ画像データ生成手段であり、
前記仮想出力画像データは前記印刷ズレ画像データである、
ことを特徴とする印刷システム。
【請求項９】
印刷物のレイアウトデータの検版を行う方法であって、
印刷物のレイアウトデータを取得する取得工程と、
所定の出力装置において前記レイアウトデータに基づく出力がなされた場合の印刷物の出力状態を想定した仮想出力画像データ、を生成する仮想出力画像データ生成工程と、
前記レイアウトデータおよび前記仮想出力画像データに基づいて前記出力装置において出力がなされた場合の印刷物の仮想画像を生成する仮想画像処理工程と、
前記レイアウトデータに基づく印刷物の仮想画像を表す基準データと、前記仮想出力画像データに基づく印刷物の仮想画像を表す対象データとを相互に比較する比較工程と、
を備えることを特徴とするレイアウトデータの検版方法。
【請求項１０】
請求項９に記載の検版方法であって、
前記基準データと、前記対象データとの比較の結果が所定の許容限度を超えている場合に警告情報を生成する警告情報生成工程、
をさらに備えることを特徴とするレイアウトデータの検版方法。
【請求項１１】
請求項９または請求項１０に記載の検版方法であって、
前記比較工程における比較結果に基づいて前記レイアウトデータを修正する画像データ修正工程、
をさらに備えることを特徴とする検版方法。
【請求項１２】
請求項９ないし請求項１１のいずれかに記載の検版方法であって、
前記仮想出力画像データ生成工程は、前記レイアウトデータに基づく出力がなされた場合の印刷物の印刷ズレ状態を想定した印刷ズレ画像データを生成する印刷ズレ画像データ生成工程であり、
前記仮想出力画像データは前記印刷ズレ画像データである、
ことを特徴とする検版方法。
【請求項１３】
コンピュータによって実行されることにより、前記コンピュータを請求項１ないし請求項４のいずれかに記載の検版装置として機能させることを特徴とするプログラム。
【発明の詳細な説明】
【０００１】
【発明の属する技術分野】
本発明は、印刷物の出力時に問題の生じないレイアウトデータを作成する技術に関する。
【０００２】
【従来の技術】
印刷物を出力する際、種々の原因により版ずれが生じる。この版ずれを、できるだけ目立たなくするため、製版工程においては、従来より、トラッピング処理が行なわれている。この処理は、印刷物の仕上がりを「想定」して各版の画像の境界部分を調整する処理であり、ノウハウとスキルが要求される作業である。
【０００３】
こうしたトラッピング処理を効率化する技術は、すでに公知である（例えば、特許文献１参照。）。
【０００４】
【特許文献１】
特開平１−１７０１６９号公報
【０００５】
【発明が解決しようとする課題】
近年、制作デザイン工程でＤＴＰソフトが普及したため、あらかじめ各色版データに色分解されたデジタルファイル形式のレイアウトデータが、印刷・製版工程への入稿データとして用いられるようになっている。
【０００６】
こうしたデジタルファイル形式のレイアウトデータについては、スキルのある作業者が、印刷トラブルを予見つつレイアウト状態を確認し、必要であれば、トラブルを防止するためのデータ編集処理を行なうことで適切なトラッピング処理がなされている。
【０００７】
本来は、制作デザイン工程の作業者がレイアウトデータを作成する段階で、あらかじめトラッピング処理を考慮したレイアウトがなされることが好ましい。しかしながら、こうしたレイアウトデータにおいては、一見すると正しくレイアウトがなされているように見受けられるので、作成時に出力時の版ずれが生じるか否かを見極めることが難しい。そのため、製版工程の作業者が、レイアウトデータの各部を適宜拡大表示するなどして、レイアウト段階におけるトラッピング処理に問題がないかどうか、確認する必要があるのが現状である。また、制作デザイン工程の作業者が、トラッピング処理に関する十分なスキルを持ってレイアウト処理を行っているとは限らないため、トラッピング処理を考慮したレイアウト処理が十分に行われていない場合には、トラッピング処理に係る作業負担が大きいという問題もある。
【０００８】
また、製版工程において、トラッピング処理のスキルを持つ人材や処理のための作業時間およびコストが不足し、トラッピング処理が正確に行なわれない、という問題も発生している。
【０００９】
一方、特許文献１に開示された技術は、カラースキャナ等によって色分解処理をする際に用いることができる技術であるので、上記のような、すでに分版されたデータについて対応するものではない。
【００１０】
本発明は、上記課題に鑑みてなされたものであり、入稿データに基づく印刷物の出力結果をシミュレーションし、その結果を用いて該入稿データを検版する検版装置を提供することを目的とする。
【００１１】
【課題を解決するための手段】
上記課題を解決するため、請求項１の発明は、印刷物のレイアウトデータを取得する取得手段と、所定の出力装置において前記レイアウトデータに基づく出力がなされた場合の印刷物の出力状態を想定した仮想出力画像データ、を生成する仮想出力画像データ生成手段と、前記レイアウトデータおよび前記仮想出力画像データに基づいて前記出力装置において出力がなされた場合の印刷物の仮想画像を生成する仮想画像処理手段と、前記レイアウトデータに基づく印刷物の仮想画像を表す基準データと、前記仮想出力画像データに基づく印刷物の仮想画像を表す対象データとを相互に比較する比較手段と、を備えることを特徴とする。
【００１２】
また、請求項２の発明は、請求項１に記載の検版装置であって、前記基準データと、前記対象データとの比較の結果が所定の許容限度を超えている場合に警告情報を生成する警告情報生成手段、をさらに備えることを特徴とする。
【００１３】
また、請求項３の発明は、請求項１または請求項２に記載の検版装置であって、前記比較手段における比較結果に基づいて前記レイアウトデータを修正する画像データ修正手段、をさらに備えることを特徴とする。
【００１４】
また、請求項４の発明は、請求項１ないし請求項３のいずれかに記載の検版装置であって、前記仮想出力画像データ生成手段は、前記レイアウトデータに基づく出力がなされた場合の印刷物の印刷ズレ状態を想定した印刷ズレ画像データを生成する印刷ズレ画像データ生成手段であり、前記仮想出力画像データは前記印刷ズレ画像データである、ことを特徴とする。
【００１５】
また、請求項５の発明は、印刷システムであって、（ａ）印刷物のレイアウトデータを生成する生成装置と、（ｂ）印刷物の出力を行う出力装置と、（ｃ）検版装置であって、（ｃ−１）前記レイアウトデータを取得する取得手段と、（ｃ−２）前記出力装置において前記レイアウトデータに基づく出力がなされた場合の印刷物の出力状態を想定した仮想出力画像データ、を生成する仮想出力画像データ生成手段と、（ｃ−３）前記レイアウトデータおよび前記仮想出力画像データに基づいて前記出力装置において出力がなされた場合の印刷物の仮想画像を生成する仮想画像処理手段と、（ｃ−４）前記レイアウトデータに基づく印刷物の仮想画像を表す基準データと、前記仮想出力画像データに基づく印刷物の仮想画像を表す対象データとを相互に比較する比較手段と、を備える検版装置と、を備えることを特徴とする。
【００１６】
また、請求項６の発明は、請求項５に記載の印刷システムであって、前記検版装置が、（ｃ−５）前記基準データと、前記対象データとの比較の結果が所定の許容限度を超えている場合に警告情報を生成する警告情報生成手段、をさらに備えることを特徴とする。
【００１７】
また、請求項７の発明は、請求項５または請求項６に記載の印刷システムであって、前記検版装置が、（ｃ−６）前記比較手段における比較結果に基づいて前記レイアウトデータを修正する画像データ修正手段、をさらに備えることを特徴とする。
【００１８】
また、請求項８の発明は、請求項５ないし請求項７のいずれかに記載の印刷システムであって、前記仮想出力画像データ生成手段は、前記レイアウトデータに基づく出力がなされた場合の印刷物の印刷ズレ状態を想定した印刷ズレ画像データを生成する印刷ズレ画像データ生成手段であり、前記仮想出力画像データは前記印刷ズレ画像データである、ことを特徴とする。
【００１９】
また、請求項９の発明は、印刷物のレイアウトデータの検版を行う方法であって、印刷物のレイアウトデータを取得する取得工程と、所定の出力装置において前記レイアウトデータに基づく出力がなされた場合の印刷物の出力状態を想定した仮想出力画像データ、を生成する仮想出力画像データ生成工程と、前記レイアウトデータおよび前記仮想出力画像データに基づいて前記出力装置において出力がなされた場合の印刷物の仮想画像を生成する仮想画像処理工程と、前記レイアウトデータに基づく印刷物の仮想画像を表す基準データと、前記仮想出力画像データに基づく印刷物の仮想画像を表す対象データとを相互に比較する比較工程と、を備えることを特徴とする。
【００２０】
また、請求項１０の発明は、請求項９に記載の検版方法であって、前記基準データと、前記対象データとの比較の結果が所定の許容限度を超えている場合に警告情報を生成する警告情報生成工程、をさらに備えることを特徴とする。
【００２１】
また、請求項１１の発明は、請求項９または請求項１０に記載の検版方法であって、前記比較工程における比較結果に基づいて前記レイアウトデータを修正する画像データ修正工程、をさらに備えることを特徴とする。
【００２２】
また、請求項１２の発明は、請求項９ないし請求項１１のいずれかに記載の検版方法であって、前記仮想出力画像データ生成工程は、前記レイアウトデータに基づく出力がなされた場合の印刷物の印刷ズレ状態を想定した印刷ズレ画像データを生成する印刷ズレ画像データ生成工程であり、前記仮想出力画像データは前記印刷ズレ画像データである、ことを特徴とする。
【００２３】
また、請求項１３の発明は、コンピュータによって実行されることにより、前記コンピュータを請求項１ないし請求項４のいずれかに記載の検版装置として機能させることを特徴とする。
【００２４】
【発明の実施の形態】
＜システム構成＞
図１は、本発明の実施の形態に係る検版装置１を含む印刷システム１００の構成を例示的に示す模式図である。印刷システム１００は、検版装置１と印刷データ作成装置２と、製版装置３と出力装置４とを主として備え、例えばＬＡＮ（Ｌｏｃａｌ  Ａｒｅａ  Ｎｅｔｗｏｒｋ）などのネットワークＮを介して、これらの装置が互いに電気的に接続されているシステムであり、印刷データの作成から、製版、出力までの印刷の一連のワークフローを担うシステムである。
【００２５】
検版装置１は、指示された校正の内容が校正データに正しく反映されているか、あるいは、校正データや刷版、さらには実際の印刷物などにおいて、元データとの間で予期せぬ相違点が生じていないか、などをチェックすることを目的として、検版の対象画像と、基準画像とを比較して、その差異の有無を抽出する装置である。また、後述するように、検版装置１は、各色版に分解された印刷データを入稿データとして取得して、版ずれ等の印刷ずれが生じた場合の出力画像をシミューレションし、このシミュレーション出力画像を対象画像とし、入稿データを基準画像として、両者の間で検版処理を行う、シミュレーション検版処理も行うことができる。さらに、その結果に基づいて、当初のレイアウトデータを適切に修正する処理も可能とされている。
【００２６】
印刷データ作成装置２は、印刷画像における文字組版や画像配置等のレイアウト処理を行い、印刷データの作成を担う装置である。印刷データは、通常はあらかじめ各色版に分版可能なデータとして生成され、ＲＩＰ処理（ラスタライズ処理）されたうえで、検版など、後段のワークフローに供される。なお、レイアウト処理を担う装置とＲＩＰ処理を担う装置とが、独立して備わる態様であってもよい。この場合、前者において作成されたレイアウトデータが後者に受け渡されて、後者においてＲＩＰ処理されることで、全体として印刷データ作成装置２と同様の機能を果たすことになる。あるいは、検版装置１がＲＩＰ処理機能を備え、印刷データ作成装置２ではレイアウト処理のみを行って検版装置１にレイアウトデータを受け渡し、検版装置１において該レイアウトデータのＲＩＰ処理を行った後、検版処理を行う態様であってもよい。また、検版装置１のシミュレーション検版処理の機能を印刷データ作成装置２が備える態様であってもよい。
【００２７】
また、印刷データ作成装置２は、同一のレイアウトデータから、使用する目的に応じた種々の解像度の画像データを生成することが可能である。例えば、検版用には４００ｄｐｉ程度の粗い解像度の多階調の画像データを生成し、出力用には２４００ｄｐｉの高解像度網点化画像データを生成する、などといった対応が可能である。
【００２８】
製版装置３は、網点化画像データに基づいて、例えば、版材上にレーザ露光によって印刷画像を形成することで刷版を作成する装置、いわゆるＣＴＰ装置である。なお、網点化画像データに基づいていったんイメージセッタにより製版フィルムを作成した後、該製版フィルムを用いて刷版を作成する態様であってもよい。この場合、製版装置３にはイメージセッタを含むものとする。
【００２９】
出力装置４は、製版装置３において作成された刷版を用いて、印刷用紙に印刷を行う装置である。あるいは、網点化画像データから直接に印刷用紙に出力を行う、デジタル出力を行う装置であってもよい。
【００３０】
検版装置１においては、例えば、印刷データ作成装置２において作成されたＲＩＰ処理済の印刷データ（画像データ）をネットワークＮを介して受け取り、これを検版処理する態様であってもよいし、あるいは、例えばＭＯドライブやＣＤ−Ｒ／ＲＷドライブなどからなるメディアリーダ／ライタ５を備えており、ＭＯ（光磁気ディスク）やＣＤ−Ｒ／ＲＷなどの種々の可搬性の記録媒体にいったん記録された印刷データを読み取ってこれを検版処理する態様であってもよい。
【００３１】
検版装置１は、コンピュータによって実現されるものである。すなわち、検版装置１には、オペレータが各種の指示を入力するためのマウスやキーボードなどからなる操作部７、ディスプレイ等の表示部８、ハードディスクなどにより構成され、該コンピュータを検版装置１として機能させるためのプログラム９ｐなどを保存するための記憶部９、メディアリーダ／ライタ５を通じて種々の可搬性の記録媒体との間でデータのリード／ライトを行うためのＲ／Ｗ部１０、ネットワークＮ上の他の装置との間でデータの受け渡しを行うためのインターフェースとしての通信部１１、ＣＰＵ１２ａ、ＲＯＭ１２ｂ、およびＲＡＭ１２ｃから構成され、後述する各機能を実現する制御部１２が主として備わっている。
【００３２】
なお、検版装置１においては、操作部７を通じた操作内容や、種々の処理についての処理状況などを表示部８にて表示させつつ処理を行うことができる、いわゆるＧＵＩ（Ｇｒａｐｈｉｃａｌ  Ｕｓｅｒ  Ｉｎｔｅｒｆａｃｅ）が、制御部１２、操作部７、表示部８の機能により実現されている。制御部１２に実現される後述する各部における処理も、このＧＵＩを用いて行われる。
【００３３】
図２は、検版装置１の制御部１２において実現される機能を説明するための図である。
【００３４】
制御部１２においては、記憶部９に記憶されている所定のプログラム９ｐが、ＣＰＵ１２ａ、ＲＯＭ１２ｂ、およびＲＡＭ１２ｃによって実行されることにより、シミュレーション処理に係るものとして、画像取得部２１と、シミュレーション処理部２２と、画像比較部２３と、印刷ズレ画像データ生成部２４と、シミュレーションパラメータ設定部２５と、警告情報生成部２６と、画像データ修正処理部２７とが主として実現される。
【００３５】
画像取得部２１は、検版装置１のオペレータによる、操作部７および表示部８を介した指示に従って、シミュレーション検版処理の対象となるレイアウトデータである入稿データＤＤを取得する。入稿データＤＤは、好ましくは各色版に分版されたレイアウトデータであり、あらかじめ印刷データ作成装置２からネットワークＮを通じて取得され、記憶部９に記憶されているものが取得される態様でもよいし、記録媒体に記録されているものをメディアリーダ／ライタ５を通じて読み込む態様でもよい。
【００３６】
シミュレーション処理部２２は、入稿データＤＤおよび後述する印刷ズレ画像データＤＭについて、それぞれを出力装置４における出力対象とした場合に得られるであろう出力画像のシミュレーション結果に相当する、基準シミュレーションデータＤＳＳおよび印刷ズレシミュレーションデータＤＭＳを生成する。それぞれのシミュレーションデータに基づくシミュレーション画像は、表示部８にて表示可能である。前者は、入稿データＤＤをそのまま出力処理に供した場合の理想的な出力結果をシミュレーションしたものに相当し、後者は、種々の要因によって印刷ズレが生じた場合の出力結果をシミュレーションしたものに相当する。出力結果のシミュレーションを行うためのパラメータは、後述するシミュレーションパラメータ設定部２５の作用により、シミュレーションパラメータＰ２として与えられる。シミュレーション処理部２２は、本発明の仮想画像処理手段に相当する。
【００３７】
印刷ズレ画像データ生成部２４は、印刷ズレ画像データＤＭを生成する。印刷ズレ画像データＤＭは、入稿データＤＤを出力処理に供した場合に想定される、版ずれや、印刷用紙の伸縮・傾斜などに伴う印刷ズレが生じた状態を、仮想的に表現する画像データである。すなわち、印刷ズレ画像データ生成部２４は、仮想出力画像データ生成手段に相当し、印刷ズレ画像データＤＭは、仮想出力画像データに相当する。印刷ズレ画像データＤＭは、例えば、入稿データＤＤを構成するある版データのオブジェクトの配置やサイズを本来よりもわずかに変更することによって生成される。その変更を与える設定値の範囲は、後述するシミュレーションパラメータ設定部２５の作用により印刷ズレパラメータＰ１として定められる。印刷ズレ画像データ生成部２４においては、印刷ズレパラメータＰ１の値を変えることによって、複数の印刷ズレ画像データＤＭを生成可能である。
【００３８】
画像比較部２３は、基準シミュレーションデータＤＳＳと印刷ズレシミュレーションデータＤＭＳとの対応する画素ごとに、階調値の差分値を算出する処理を行い、比較結果データＤＣを生成する。すなわち、基準シミュレーションデータＤＳＳは検版の基準画像を表す基準データに相当し、印刷ズレシミュレーションデータＤＭＳは検版の対象画像を表す対象データに相当する。
【００３９】
警告情報生成部２６は、比較処理の対象となった印刷ズレシミュレーションデータＤＭＳに基づいて印刷物が出力されると品質上問題が生じるものと、比較結果データＤＣから判定される場合に、表示部８を通じて作業者に対し警告を行うための警告情報ＷＩを生成する。例えば、比較処理結果において、許容される以上の差分値が生じている場合などがこれに相当する。差分値が許容限度内にあるか否か等、判定の基準となるのは、後述する判定パラメータＰ３である。
【００４０】
画像データ修正処理部２７は、シミュレーションの結果から想定される出力処理に際してのトラブルを回避するため、入稿データＤＤのレイアウト配置等を修正するための処理を担う。すなわち、画像データ修正処理部２７は、比較結果データＤＣとして得られる差分画像を表示しつつ、出力処理に際してのトラブルを回避するための修正処理（レタッチ処理）を入稿データＤＤに対して施すことを可能とする。さらに、印刷データ作成装置２におけるレイアウト処理と同様の機能が実現される態様でもよい。あるいは、印刷データ作成装置２が画像データ修正処理部２７の機能を備え、検版装置１から検版結果を受け取って、同様の処理を行う態様でもよい。この場合、編集処理を後日に行うことも可能である。いずれにせよ、修正処理の結果得られる修正後画像データＤＲが、製版および出力処理に供されることになる。
【００４１】
シミュレーションパラメータ設定部２５は、上述した印刷ズレパラメータＰ１、シミュレーションパラメータＰ２、および、判定パラメータＰ３を設定するための処理を担う。オペレータが操作部７および表示部８を介して設定した検版パラメータに従って、各部における処理が行われることになる。印刷ズレパラメータＰ１としては、例えば、版ずれ等の対象とする版の指定、オブジェクトの配置をずらす際のずらし画素数や回転角度、オブジェクトの拡大・縮小する際の倍率や、さらには、文字、線画など、印刷ズレの対象とするオブジェクト属性の限定などを設定可能とする。シミュレーションパラメータＰ２としては、例えば、表示部８において出力装置４における出力と同等の画像表示を得るためのカラープロファイルなどが与えられる。判定パラメータＰ３としては、例えば、許容される差分値が、印刷ズレパラメータＰ１のずらし画素数や倍率と対応させて定められ、あるいは、差分値生じる領域が占めるサイズと対応させて定められる。
＜シミュレーション検版処理の流れ＞
図３は、本実施の形態に係る検版装置１におけるシミュレーション検版処理の流れを示す図である。以下、図３に基づいて説明する。
【００４２】
まず、検版装置のオペレータが、操作部７を通じて、シミュレーション処理に供する入稿データＤＤを指定すると、画像取得部２１の作用に基づいて、該入稿データＤＤのＲＡＭ１２ｃへの読み込みが行われる（ステップＳ１）。以下、入稿データＤＤがＣＭＹＫの４色分版データであるとする。
【００４３】
入稿データＤＤが得られると、シミュレーションパラメータ設定部２５の作用により印刷ズレをシミュレーションするための印刷ズレ量が、印刷ズレパラメータＰ１として設定され（ステップＳ２）、該印刷ズレパラメータＰ１に基づいて、印刷ズレ画像データ生成部２４の作用によって、印刷ズレ画像データＤＭが生成される（ステップＳ３）。印刷ズレ量は、出力装置４において生じ得るズレの程度をあらかじめ実験などによって特定しておき、そのずれを想定して設定されるのが好ましい。
【００４４】
印刷ズレパラメータＰ１としては、以下のようなものが設定される。ただし、ｉ、ｊは各版を識別するフラグであり、いま、便宜的にＣ版が１、Ｍ版が２、Ｙ版が３、Ｋ版が４であるとする。また、矩形の印刷面において互いに直交する２辺の一方を縦とし、他方を横として定義している。
【００４５】
・基準位置からの縦、横各方向の最大変位量：Ｍｘｉ，Ｍｙｊ；
・変位量ステップＳｘｉ，Ｓｙｊ；
・基準位置からの最大傾斜量Ｔｘｉ，Ｔｙｊ；
・傾斜量ステップｓｘｉ，ｓｙｊ；
・基準サイズからの最大変倍率Ｚｉ；
・変倍ステップｚｉ。
【００４６】
例えば、Ｋ版の変位ズレを想定する場合、Ｍｘ４＝０．２、Ｍｙ４＝０．２、Ｓｘ４＝０．１、Ｓｙ４＝０．１（単位はいずれもｐｔ（ポイント））とすると、縦、横方向ともに正逆方向にそれぞれ０．２／０．１＝２段階にＫ版の位置ズレが設定されることになるので、Ｋ版としては、位置ズレがない場合を含めると全部で５×５＝２５通りのズレが設定され得ることになる。そして、それぞれの設定値に基づいて、入稿データＤＤのＫ版のデータが有する位置が書き換えられて、印刷ズレ画像データＤＭが生成されることになる。すなわち、この場合、Ｋ版が他の版に対してずれた状態を示す印刷ズレ画像データＤＭが、２４通り生成されることになる。
【００４７】
傾斜量については、設定値に応じて、正逆方向に所定のステップずつ版を傾斜させた状態が想定されることになる。
【００４８】
変倍率については、例えばＺ４＝０．０２、ｚ４＝０．０１であれば、等倍を基準に０．０２／０．０１＝２段階に拡大および縮小した状態が想定されることになる。すなわちＫ版を、所定の位置を基準として元のサイズから０．９８倍、０．９９倍、１．０１倍、１．０２倍した状態が想定されることになる。
【００４９】
これらのパラメータの設定を適宜に組み合わせることで、さらには、それぞれの版について同様に設定することで、種々の版ズレや印刷用紙の伸縮、回転などを想定した印刷ズレ画像データＤＭを生成することが可能である。なお、変位や傾斜については、特定方向のみの変位を与えることも可能である。変倍については、拡大あるいは縮小いずれかを行うことも可能である。さらに、各版のズレを独立に設定するのではなく、相関を持たせるように設定することも可能である。例えば、Ｋ版について、Ｍｘ４＝０．０２（正方向のみ）、Ｍｙ４＝０．０２（負方向のみ）、Ｓｘ４＝０．０１、Ｓｙ４＝０と設定し、Ｍ版について、（Ｋ版の変位量±０．０１ｐｔ）のように設定する態様などが考えられる。このような態様により、より実行的な印刷ズレのシミュレーションが可能となる。
【００５０】
なお、印刷ズレパラメータＰ１の設定に応じて、それぞれに印刷ズレ画像データＤＭを生成する代わりに、入稿データＤＤと印刷ズレパラメータＰ１とを関連付けるデータとして、印刷ズレ画像データＤＭが実現される態様でもよい。この場合、後段のシミュレーション処理の際に、入稿データＤＤが有する配置情報と印刷ズレパラメータＰ１の設定情報とを読み取って、処理を行うことになる。多数の印刷ズレ画像データＤＭを生成することによるデータ容量の増大をさけるためには、この態様の方が好ましい。
【００５１】
印刷ズレ画像データＤＭが生成されると、シミュレーションパラメータ設定部２５の作用により、入稿データＤＤおよび該印刷ズレ画像データＤＭに対するシミュレーション処理を行うためのシミュレーション条件が、シミュレーションパラメータＰ２として設定される（ステップＳ４）。
【００５２】
シミュレーションパラメータＰ２は、出力装置４において得られるであろう印刷物と同等の画像が、シミュレーション処理の結果として表示部８において表示されるように定められる。具体的には、出力される印刷物における色再現を表示部８おける出力画像の表示において実現するための、例えばＩＣＣプロファイル形式にて記述される色変換プロファイル、使用インキ種や印刷用紙種の設定、グレーバランスの設定、ドットゲインの設定などが、シミュレーションパラメータＰ２として与えられる。
【００５３】
シミュレーションパラメータＰ２が設定されると、シミュレーション処理部２２の作用により、印刷物のシミュレーションに相当するシミュレーションデータが生成される（ステップＳ５）。ここで、入稿データＤＤに基づいて生成されるのが、基準シミュレーションデータＤＳＳであり、印刷ズレ画像データＤＭに基づいて生成されるのが、印刷ズレシミュレーションデータＤＭＳである。前者に基づいて表示部８に表示されるのが、印刷ズレ等が全く生じないとした場合の、理想的な出力画像であり、後者に基づいて表示されるのが、種々の印刷ズレを想定した場合の出力画像である。
【００５４】
２種類のシミュレーションデータが生成されると、画像比較部２３の作用により両者の比較処理が行われ（ステップＳ６）、比較結果データＤＣが生成される。比較処理には、公知の技術を適用可能である。複数の印刷ズレシミュレーションデータＤＭＳが生成される場合は、それぞれに個別に基準シミュレーションデータＤＳＳとの比較処理が行われる。
【００５５】
比較結果データＤＣは、単に、基準シミュレーションデータＤＳＳとそれぞれの印刷ズレシミュレーションデータＤＭＳの対応する画素位置における階調値の差分値を差分画像として示すデータではなく、好ましくは、印刷ズレシミュレーションデータＤＭＳの元となっている印刷ズレ画像データＤＭにおける印刷ズレの設定と差分値との対応関係を示すデータを含むものとして生成される。
【００５６】
比較結果データＤＣが得られると、警告情報生成部２６の作用により、判定パラメータＰ３に基づいて、比較処理結果の判定処理が行われる（ステップＳ７）。判定処理の結果は、記憶部９に記憶される（ステップＳ８）。ここで、判定処理において比較結果に問題がないと判定された場合は、シミュレーション検版処理の対象となった入稿データＤＤを出力処理に供する際、出力装置４において通常生じ得る程度の印刷ズレが生じても、その印刷ズレはシミュレーション処理における想定の範囲内であって、出力された印刷物の品質には実質的な問題がないことになる。従って、仮に、比較結果に問題がないと判定されたにもかかわらず、出力された印刷物には品質上の問題が生じた場合には、あらかじめ想定された以上の印刷ズレが、出力側の要因によって生じていると判断されることになる。すなわち、シミュレーション検版処理の結果が良好である判断されることは、入稿データＤＤの信頼性あるいは品質に、一定の保証を与えていることに相当する。
【００５７】
判定処理の結果、入稿データＤＤをそのまま出力処理に供することに問題があると判定されると（ステップＳ９でＹＥＳ）、警告情報生成部２６は警告情報ＷＩを生成する（ステップＳ１０）。
【００５８】
図４、図５および図６は、比較処理及び判定処理について説明するための図である。図４（ａ）、図５（ａ）および図６（ａ）は、同一の図であり、基準シミュレーションデータＤＳＳによって表される画像を模式的に示している。簡単のため、領域Ｒ１はＣ版のみでチント画像が形成され、領域Ｒ２はＭ版とＹ版とでチント画像が形成されているとする。また、領域Ｒ３は、あらかじめ設定されたトラッピング領域、すなわち、Ｃ版とＭ版とＹ版とが重なった領域であるとする。なお、トラッピング領域の画像全体に占める比率は、説明の都合上、実際よりも高めてある。
【００５９】
図４（ｂ）は、Ｃ版だけに版ずれを設定した場合の、印刷ズレシミュレーションデータＤＭＳを示している。これは、印刷ズレ画像データＤＭにおいて、図４（ａ）に示す点Ａ０が図４（ｂ）に示す点Ａ１の位置に平行移動するような図面右上方向への版ずれを、Ｃ版に与えた場合に相当する。この場合は、版ずれによってトラッピング領域が右上方向に偏在するものの、領域Ｒ１と同じ位置にある領域Ｒ４には領域Ｒ１と同じ画像が形成されている。なお、図４（ｃ）は、この場合の比較処理結果に相当する差分画像を模式的に示している。
【００６０】
一方、図５（ｂ）は、印刷ズレ画像データＤＭにおいて、図５（ａ）に示す点Ａ０が図５（ｂ）に示す点Ａ２の位置に平行移動するような、図面右上方向への版ずれをＣ版に与えた場合に、印刷ズレシミュレーションデータＤＭＳよって表される画像である。すなわち、図４（ｂ）の場合と同一方向へ、図４（ｂ）の場合よりもさらに大きな版ずれが、Ｃ版に与えられた場合を示している。この場合は、いずれの版の画像も形成されない、もともとのトラッピング領域と同程度の幅を有するＬ字形の領域Ｒ５が生じてしまうことになる。これは、印刷ズレ画像データＤＭに与えられた版ずれと同じ版ずれが出力の段階で生じると、領域Ｒ５の位置に、本来レイアウトしていない細いＬ字形の像が、印刷物上に形成されてしまう可能性があることを意味する。図５（ｃ）は、この場合の比較処理結果に相当する差分画像を模式的に示しているが、図４（ｃ）に示す場合にはなかった、差分値の大きな差分領域Ｒ５’が形成されることになる。判定パラメータＰ３において設定された領域サイズや差分値についての許容値を、この差分領域Ｒ５’の領域サイズや差分値が上回っている場合には、比較結果に対応して警告情報ＷＩが発せられることになる。
【００６１】
また、図６（ｂ）は、印刷ズレ画像データＤＭにおいて、Ｃ版について図５に示すのと同様の版ずれを与えるとともに、Ｍ版について図６（ａ）に示す点Ｂ０が図５（ｂ）に示す点Ｂ０の位置に平行移動するような、図面右上方向への版ずれを与えた場合に、印刷ズレシミュレーションデータＤＭＳによって表される画像である。すなわち、Ｃ版とＭ版とが同一の方向へ異なるズレ量だけずれた場合を示している。この場合は、図５（ｂ）においていずれの版の画像も形成されなかったＬ字形の領域Ｒ５に、Ｍ版による画像が形成されることになるが、その色濃度によっては、このＬ字形画像が印刷物において目立たない場合もあり得る。また、図６（ｃ）は、この場合の比較処理結果に相当する差分画像を示す図であるが、図５（ｃ）と同じく差分領域Ｒ５’が生じるものの、領域Ｒ５にＭ版による画像が形成されている分だけ、差分領域Ｒ５’における差分値は図５（ｃ）の場合よりも小さいことになる。仮に、判定パラメータＰ３において設定された領域サイズや差分値についての許容値が、図６（ｃ）の場合を許容するよう設定されているものであるとすると、この場合に警告情報ＷＩは発せられないことになる。差分領域Ｒ５’の領域サイズや差分値が許容値を超えている場合には、この場合も警告情報ＷＩが発せられることになる。
【００６２】
警告情報ＷＩが発せられた場合、また発せられなくとも作業者の意向による場合、入稿データＤＤを修正する画像データ修正処理がなされる（ステップＳ１１でＹＥＳ、ステップＳ１２）。画像データ修正処理は、画像データ修正処理部２７により実現される。作業者は、画像データ修正処理部２７の作用によって、差分画像を含めた比較結果データＤＣ、入稿データＤＤ、さらには判定パラメータＰ３などを表示部８に表示させつつ、必要な修正処理（レタッチ処理）を、画像を適宜に拡大表示させつつ行うことができる。例えば、印刷ズレパラメータＰ１の設定値と差分値との相関データなどを参照しつつ、トラッピングの設定を修正することなど可能である。なお、修正したデータを用いて、新たにシミュレーション検版処理を行える態様でもよい。修正処理の結果得られる修正後画像データＤＲが、製版および出力処理に供されることになる。
【００６３】
以上説明したように、本実施の形態によれば、単に入稿データＤＤに基づく印刷物の仕上がりをシミュレーションするだけでなく、出力装置４における印刷物の出力の際に発生しうる印刷ズレもシミュレーションし、両結果を対象に検版処理することで、レイアウトの段階で想定されている理想的な出力状態と実際の印刷物の出力状態との相違点をもシミュレーションすることができる。さらに、相違点についての許容限度を判定パラメータＰ３として定めることにより、該相違点が出力に際し問題となる可能性のある場合に、これを自動で検出することができる。
【００６４】
これにより、スキルのない熟練度の低い作業者でも、入稿データＤＤに潜んでおり、出力の際に生じる可能性のある問題点を、自動的に発見することができる。また、シミュレーションの結果を確認しながら、トラッピング設定を最適なものに修正できるので、最小限のスキルで高品質の印刷物を得ることができる。
【００６５】
また、トラッピング設定が、通常の出力を行うに当たっては問題がないことが十分に確認された上で、後工程である出力工程にデータが供されるので、出力された印刷物に問題が生じた場合は、出力装置４において規定以上のズレが発生していることになる。その際に、検版結果は、入稿データの品質を証明する証明標となる。従って、各工程間の責任が明確化できる。
【００６６】
また、検版装置１のシミュレーション検版処理の機能を印刷データ作成装置２が備える態様の場合、レイアウト編集時に逐次にシミュレーション検版が行えるので、スキルのないレイアウト作業者であっても、印刷トラブルの生じないレイアウト設定ができるようになる。
【００６７】
また、検版結果が保存されるので、レイアウト当初と全く別の編集工程においても、これを参照しつつ、トラブル防止を考慮した編集処理が行える。
【００６８】
なお、出力装置４の種別・状態や、レイアウトデータの内容によっては、トラッピングなどの編集を行なわない方が良い場合もある。こうした場合であっても、検版処理により出力の状態が客観的に評価されるので、より品質の高い印刷物を出力することができる点では同じである。
【００６９】
【発明の効果】
以上、説明したように、請求項１ないし請求項１３の発明によれば、出力装置における印刷物の出力状態を想定した仮想出力画像データを生成し、これを用いることにより、レイアウトの段階で想定されている理想的な出力状態と実際の印刷物の出力状態との相違点をシミュレーションすることができるので、レイアウトデータがそのまま出力処理に供された場合に不具合が発生することを、出力処理を実際に行う前の段階で明確化できる。
【００７０】
また、請求項２、請求項６、および請求項１０の発明によれば、出力に際し不具合が生じるか否かを、客観的な判定基準に基づいて判断し、不具合が生じる可能性のある場合に作業者に対し警告を行うことができるので、問題のあるレイアウトデータをそのまま出力に供することを防ぐことができる。また、問題がないことが確認されたレイアウトデータが出力に供されたにもかかわらず出力された印刷物に問題が生じた場合は、出力装置において規定以上のズレが発生していることになるので、各工程間の責任が明確化できる。
【００７１】
また、請求項３、請求項７、および請求項１１の発明によれば、比較結果を確認しながら、レイアウト設定を最適なものに修正できるので、熟練度の低い作業者であっても高品質の印刷物を得ることができる。
【００７２】
また、請求項４、請求項８、および請求項１２の発明によれば、出力装置における印刷物の印刷ズレ状態を想定した印刷ズレ画像データを生成し、これを用いることにより、レイアウトの段階で想定されている理想的な出力状態と実際の印刷物の出力状態との相違点をシミュレーションすることができるので、レイアウトデータがそのトラッピング設定を有したまま出力処理に供された場合に不具合が発生しうることを、出力処理を実際に行う前の段階で明確化できる。
【図面の簡単な説明】
【図１】本発明の実施の形態に係る検版装置１を含む印刷システム１００の構成を例示的に示す模式図である。
【図２】検版装置１の制御部１２において実現される機能を説明するための図である。
【図３】検版装置１におけるシミュレーション検版処理の流れを示す図である。
【図４】比較処理及び判定処理について説明するための図である。
【図５】比較処理及び判定処理について説明するための図である。
【図６】比較処理及び判定処理について説明するための図である。
【符号の説明】
１  検版装置
１００  印刷システム
Ｎ  ネットワーク
Ｒ１〜Ｒ５  領域
【図１】
2004295199.tif 000003
【図２】
2004295199.tif 000004
【図３】
2004295199.tif 000005
【図４】
2004295199.tif 000006
【図５】
2004295199.tif 000007
【図６】
2004295199.tif 000008